(57)【要約】【課題】  停電が検知されると、電子メールにより停電が発生したことを使用者に通知し、着脱可能な記録媒体を排出してから電源を遮断するかどうかをパスワードを使って設定できる給電機能付きインターフェースをもつ電子装置を提供する。【解決手段】  停電を検知する手段と、停電時に自動終了処理をおこなってから電源を遮断するための電源バックアップ手段と、インターネットに接続する手段と、停電が発生した場合には停電が発生したことと電子装置の状態、及び、自動終了処理の内容を自動通知するための電子メール送信手段と、記録媒体を排出してから電源を遮断する命令及び排出に必要なパスワードを入力する入力手段とで構成される。【選択図】  図１
2006134142.tif 000002
【特許請求の範囲】
【請求項１】
給電機能付き装置と、着脱可能な記録媒体を駆動する受電機能付き装置が、給電機能を有するインターフェースにより接続される電子装置において、前記給電機能付き装置は、停電を検知する手段と、停電時に自動終了処理をおこなってから電源を遮断するための電源バックアップ手段と、インターネットに接続する手段と、停電が発生した場合には停電が発生したことと前記給電機能付き装置と前記受電機能付き装置の状態、及び、自動終了処理の内容を自動通知するのための電子メール送信手段とを具備したことを特徴とする給電機能付きインターフェースをもつ電子装置。
【請求項２】
停電が検知され、前記電源バックアップ手段により自動終了処理がおこなわれた後に、前記着脱可能な記録媒体を排出してから電源を遮断するかの設定、及び、前記着脱可能な記録媒体を排出する場合のためのパスワードを入力するための入力手段とを具備したことを特徴とする請求項１の給電機能付きインターフェースをもつ電子装置。
【請求項３】
請求項２の前記着脱可能な記録媒体を排出してから動作を終了するかの設定、及び、排出する場合にはパスワードを入力するための入力手段がリモコンであることを特徴とする給電機能付きインターフェースをもつ電子装置。
【請求項４】
請求項２の前記着脱可能な記録媒体を排出するための設定、及び、前記着脱可能な記録媒体を排出する場合に必要なパスワード入力が、電源が遮断された後でも入力できる手段を具備したことを特徴とする給電機能付きインターフェースをもつ電子装置。
【発明の詳細な説明】
【技術分野】
【０００１】
本発明は給電機能付きインターフェースをもつ電子装置に関するものである。
【背景技術】
【０００２】
従来、給電機能付きインターフェースをもつパーソナルコンピュータと前記パーソナルコンピュータに接続される周辺機器として給電機能付きインターフェースであるＵＳＢ（Ｕｎｉｖｅｒｓａｌ  Ｓｅｒｉａｌ  Ｂｕｓ）等により接続されるＭＯディスク（Ｍａｇｎｅｔｏ  Ｏｐｔｉｃａｌ  ｄｉｓｋ）、或いは、着脱可能なハードディスクドライブなどの駆動装置により構成される電子装置において、停電が発生した場合のために、前記パーソナルコンピュータ、及び、前記周辺機器の電源を一定時間バックアップするための電源装置を組み込んだパーソナルコンピュータがある。
【０００３】
例えば、特許文献１参照。
【特許文献１】特開平０８−３２８７０２号公報
【発明の開示】
【発明が解決しようとする課題】
【０００４】
しかしながら、上記従来例では、停電発生時にはバックアップ電源装置により、パーソナルコンピュータ及び周辺機器の電源が一定時間供給され、その間動作状態を維持することが可能であるが、電源バックアップ可能な時間以降は、電子機器の電源が遮断されてしまい、電源遮断後は周辺機器であるＭＯディスク。或いは、着脱可能なハードディスクドライブなどの駆動装置に装着されたＭＯディスク、或いは、着脱可能なハードディスクドライブを排除することが不可能となり、ＭＯディスク、或いは、着脱可能なハードディスクを取り出して持ち出す、或いは、別の場所に保管するなどができなかった。
【０００５】
前記パーソナルコンピュータ及び前記周辺機器のおかれた場所周辺でのみで電源供給されなくなるような局所的停電が発生した場合には、離れた場所にいたために停電が発生したことに気付かず、ＭＯディスク、或いは、着脱可能なハードディスクドライブを取り出すことができない状態となることがあった。
【０００６】
本発明は、給電機能付き装置と、着脱可能な記録媒体を駆動する受電機能付き装置が、給電機能を有するインターフェースにより接続される電子装置において、停電が検知されると、予め設定された電子メールアドレス宛てに電子メールにより停電が発生したことを通知し、着脱可能な記録媒体を排出してから電源を遮断するかを確認してから前記電子装置の終了処理をおこない、終了処理が終了した時には、停電内容記録及び終了処理内容を予め設定された電子メールアドレス宛てに電子メールにより通知をおこない、着脱可能な記録媒体を排出してから電源を遮断する設定のある場合には着脱可能な記録媒体を排出してから電源を遮断し、着脱可能な記録媒体を排出してから電源を遮断しなかった場合には、電源遮断後においても前記着脱可能な記録媒体を排出することが可能な状態を維持することが可能な給電機能付きインターフェースをもつ電子装置を提供することを目的とする。
【課題を解決するための手段】
【０００７】
上記目的を達成するために、本出願に係る第１の発明は、給電機能付き装置と、着脱可能な記録媒体を駆動する受電機能付き装置が、給電機能を有するインターフェースにより接続される電子装置において、前記給電機能付き装置は、停電などにより電力供給されなくなったことを検知する手段と、停電などにより電力供給されなくなった時に自動終了処理をおこなってから電源を遮断するための、自動終了処理をおこなうのに必要な電力を供給する電源バックアップ手段と、停電などにより電力供給されなくなったことを使用者等に知らせるために、予め設定された電子メールアドレスに電子メールを出すためのインターネットに接続する手段と、停電などにより電力供給されなくなった場合にはその状況と前記給電機能付き装置と前記受電機能付き装置の状態、及び、自動終了処理の内容を通知するのための電子メールを自動で送信する手段を備える。
【０００８】
本出願に係る第２の発明は、第１の発明において、停電などにより電力供給されなくなったことが検知され、前記電源バックアップ手段による電力供給を受けることで自動終了処理がおこなわれた後に、前記着脱可能な記録媒体を排出してから電源を遮断するか、或いは、前記着脱可能な記録媒体を排出せずに電源を遮断するかの設定、及び、前記着脱可能な記録媒体を排出してから電源を遮断する場合には、前記着脱可能な記録媒体を排出する場合のためのパスワードを入力するための入力手段を備える。
【０００９】
本出願に係る第３の発明は、第２の発明の前記着脱可能な記録媒体を排出してから電源を遮断するか、或いは、前記着脱可能な記録媒体を排出せずに電源を遮断するかの設定、及び、前記着脱可能な記録媒体を排出する場合のためのパスワードを入力するための入力手段としてリモコン送受信装置を備える。
【００１０】
本出願に係る第４の発明は、第２の発明の前記着脱可能な記録媒体を排出するための命令、及び、前記着脱可能な記録媒体を排出する場合に必要なパスワード入力が、電源が遮断された後でも入力できる手段を備える。
【発明の効果】
【００１１】
以上説明したように、本発明によれば、給電機能付き装置と、着脱可能な記録媒体を駆動する受電機能付き装置が、給電機能を有するインターフェースにより接続される電子装置において、停電が検知されると、予め設定された電子メールアドレス宛てに停電が発生したことを電子メールにより通知し、着脱可能な記録媒体を排出してから電源を遮断するか確認してから前記電子装置の終了処理をおこない、終了処理が終了した時には、停電内容記録及び終了処理内容を予め設定された電子メールアドレス宛てに電子メールにより通知をおこない、着脱可能な記録媒体を排出してから電源を遮断する設定のある場合には着脱可能な記録媒体を排出してから電源を遮断し、着脱可能な記録媒体を排出してから電源を遮断しなかった場合には、電源遮断後においても前記着脱可能な記録媒体を排出することが可能な状態を維持することが可能な給電機能付きインターフェースをもつ電子装置を提供することができる。
【発明を実施するための最良の形態】
【００１２】
（第１の実施例）
図１は第１の実施例を説明する図面であり、同図において１は給電機能付き装置ａであり、主たる信号処理をおこなっている主回路２と、給電機能を有するインターフェース回路３と、イーサネット（登録商標）などのＬＡＮ（Ｌｏｃａｌ  Ａｒｅａ  Ｎｅｔｗｏｒｋ）回線に接続するためのインターネット・ケーブル９に接続されるインターネット回路４と、停電時に電源をバックアップする機能を有する電源装置であるバックアップ電源装置５とにより構成している。バックアップ電源装置５は、商用電源から電源供給を受けるＡＣプラグ８に接続される電源回路５−１と、停電などにより商用電源から電力供給されなくなったこと検知するための停電検知回路５−２と、停電などにより商用電源から電力供給が受けられなくなった時に装置の終了処理をおこなうのに必要な電力を蓄えるための二次電池５−３とにより構成される。７はＭＯディスクや着脱可能なハードディスクドライブなどの着脱可能な記録媒体を駆動する受電機能付き装置であり、給電機能付きインターフェース６によりインターフェース回路３に接続されることで構成している。
【００１３】
図２は図１の動作を説明するフローチャートである。
【００１４】
次に、図１に示す給電機能付き装置と、着脱可能な記録媒体を駆動する受電機能付き装置が、給電機能を有するインターフェースにより接続される電子装置の動作を、図２のフローチャートを用いて説明する。図中Ｓ１０２では、停電検出回路５−２により給電状態を常に監視し、ＡＣ電源供給が正常であればＳ１０２へ、停電などにより電力供給されなくなった状態が検知されるとＳ１０３へ分岐をおこなっている。Ｓ１０３では、停電が発生したことを通知するために予め設定しておいた電子メールアドレスへ送信するための電子メールを主回路２で自動作成し、インターネット回路３及びインターネット・ケーブル９を通じて送信している。次にＳ１０４では、前記給電機能付き装置と前記受電機能付き装置の電源を安全に遮断するための終了処理をおこなっている。Ｓ１０５では、停電の状況、前記給電機能付き装置と前記受電機能付き装置の最終状態、終了処理内容を通知するために予め設定しておいた電子メールアドレスへ送信するための電子メールを主回路２で自動作成し、インターネット回路３及びインターネット・ケーブル９を通じて送信している。Ｓ１０６では、前記受電機能付き装置に電源をオフにする命令を送っている。更に、Ｓ１０７では、前記給電機能付き装置と前記受電機能付き装置の電源を遮断している。
【００１５】
以上説明したように、離れた場所にいた時でも、停電などにより電力供給が停止するような異常事態が発生しても、自動的に電子メールにより状況を知らせることで、適切な処置が可能となる給電機能付きインターフェースをもつ電子装置を提供することができる。
【００１６】
（第２の実施例）
図３は第２の実施例を説明する図面であり、同図において１０は給電機能付き装置ｂであり、主たる信号処理をおこなっている主回路２と、給電機能を有するインターフェース回路３と、イーサネット（登録商標）などのＬＡＮ回線に接続するためのインターネット・ケーブル９に接続されるインターネット回路４と、停電時に電源をバックアップする機能を有する電源装置であるバックアップ電源装置５と、自動終了処理がおこなわれた後に、前記着脱可能な記録媒体を排出してから電源を遮断する命令、及び、前記着脱可能な記録媒体を排出する場合に必要なパスワードを入力するためのメディア排出命令／パスワード入力回路１１とにより構成している。バックアップ電源装置５は、商用電源から電源供給を受けるＡＣプラグ８に接続される電源回路５−１と、停電などにより商用電源から電力供給されなくなったこと検知するための停電検知回路５−２と、停電などにより商用電源から電力供給が受けられなくなった時に装置の終了処理をおこなうのに必要な電力を蓄えるための二次電池５−３とにより構成される。７はＭＯディスクや着脱可能なハードディスクドライブなどの着脱可能な記録媒体を駆動する受電機能付き装置であり、給電機能付きインターフェース６によりインターフェース回路３に接続されることで構成している。
【００１７】
図４は図３の動作を説明するフローチャートである。
【００１８】
次に、図３に示す給電機能付き装置と、着脱可能な記録媒体を駆動する受電機能付き装置が、給電機能を有するインターフェースにより接続される電子装置の動作を、図３のフローチャートを用いて説明する。図中Ｓ２０２では、停電検出回路５−２により給電状態を常に監視し、ＡＣ電源供給が正常であればＳ２０２へ、停電などにより電力供給されなくなった状態が検知されるとＳ２０３へ分岐をおこなっている。Ｓ２０３では、停電が発生したことを通知するために予め設定しておいた電子メールアドレスへ送信するための電子メールを主回路２で自動作成し、インターネット回路３及びインターネット・ケーブル９を通じて送信している。Ｓ２０４では、メディア排出命令／パスワード入力回路１１によりメディア排出命令入力がありメディア排出命令を設定するのに必要なパスワード入力がおこなわれている場合にはＳ２０６に分岐し、Ｓ２０６でメディア排出フラグをｏｎにしてからＳ２０７に処理を進める。その他の場合はＳ２０５に分岐し、Ｓ２０５でメディア排出フラグをｏｆｆにしてからＳ２０７に処理を進める。Ｓ２０７では、前記給電機能付き装置と前記受電機能付き装置の電源を安全に遮断するための終了処理をおこなっている。Ｓ２０８では、停電の状況、前記給電機能付き装置と前記受電機能付き装置の最終状態、終了処理内容を通知するために予め設定しておいた電子メールアドレスへ送信するための電子メールを主回路２で自動作成し、インターネット回路３及びインターネット・ケーブル９を通じて送信している。
【００１９】
Ｓ２０９では、メディア排出フラグがｏｆｆの場合にはＳ２１１に分岐し、メディア排出フラグがｏｎの場合にはＳ２１０に分岐しメディアを排出してからＳ２１１へ処理を進める。
【００２０】
Ｓ２１１では、前記受電機能付き装置に電源をオフにする命令を送っている。更に、Ｓ２１２では、前記給電機能付き装置と前記受電機能付き装置の電源を遮断している。
【００２１】
電源をオフする前にメディアを排出するかどうかの設定を、Ｓ２０３で電子メールを送信した後におこなっているが、停電が検出された時から電源を自動オフするまでの間であれば任意の時間におこなえるようにしてもよいし、電子メールを送信してから一定時間内に入力を要求するようにしてもよい。メディアを排出するかどうかの設定入力待ち状態でも、平行して終了処理をおこなうことも可能である。
【００２２】
以上説明したように、停電などにより電力供給が停止するような異常事態が発生して自動的に終了処理がおこなわれた場合、その終了処理が終わった後にメディアを排出してから電源をオフにすることが可能となる給電機能付きインターフェースをもつ電子装置を提供することができる。
【００２３】
（第３の実施例）
図５は第３の実施例を説明する図面であり、同図において１は給電機能付き装置ｂであり、主たる信号処理をおこなっている主回路２と、給電機能を有するインターフェース回路３と、イーサネット（登録商標）などのＬＡＮ回線に接続するためのインターネット・ケーブル９に接続されるインターネット回路４と、停電時に電源をバックアップする機能を有する電源装置であるバックアップ電源装置５とにより構成している。バックアップ電源装置５は、商用電源から電源供給を受けるＡＣプラグ８に接続される電源回路５−１と、停電などにより商用電源から電力供給されなくなったこと検知するための停電検知回路５−２と、停電などにより商用電源から電力供給が受けられなくなった時に装置の終了処理をおこなうのに必要な電力を蓄えるための二次電池５−３とにより構成される。７はＭＯディスクや着脱可能なハードディスクドライブなどの着脱可能な記録媒体を駆動する受電機能付き装置であり、給電機能付きインターフェース６によりインターフェース回路３に接続されることで構成している。１２は前記給電機能付き装置ｂからの送信される電子メールを受信したり、自動終了処理がおこなわれた後に、前記着脱可能な記録媒体を排出してから電源を遮断するか、或いは、前記着脱可能な記録媒体を排出せずに電源を遮断するかの設定、及び、前記着脱可能な記録媒体を排出してから電源を遮断する場合には、前記着脱可能な記録媒体を排出する場合のためのパスワードを入力することが可能なパーソナルコンピュータである。
【００２４】
図６は図５の動作を説明するフローチャートである。
【００２５】
次に、図５に示す給電機能付き装置と、着脱可能な記録媒体を駆動する受電機能付き装置が、給電機能を有するインターフェースにより接続される電子装置の動作を、図６のフローチャートを用いて説明する。図中Ｓ３０２では、停電検出回路５−２により給電状態を常に監視し、ＡＣ電源供給が正常であればＳ３０２へ、停電などにより電力供給されなくなった状態が検知されるとＳ３０３へ分岐をおこなっている。Ｓ３０３では、停電が発生したこと、及び、自動終了処理がおこなわれた後に、前記着脱可能な記録媒体を排出してから電源を遮断するか、或いは、前記着脱可能な記録媒体を排出せずに電源を遮断するかの設定、及び、前記着脱可能な記録媒体を排出してから電源を遮断する場合には、前記着脱可能な記録媒体を排出する場合のために設定されているパスワードの入力が必要であることの通知のための電子メールを主回路２で自動作成し、インターネット回路３及びインターネット・ケーブル９を通じて予め設定しておいた電子メールアドレスへ送信している。Ｓ３０４では、メディア排出命令／パスワード入力回路１１によりメディア排出命令入力がありメディア排出命令を設定するのに必要なパスワード入力がおこなわれている場合にはＳ３０６に分岐し、Ｓ３０６でメディア排出フラグをｏｎにしてからＳ３０７に処理を進める。その他の場合はＳ３０５に分岐し、Ｓ３０５でメディア排出フラグをｏｆｆにしてからＳ３０７に処理を進める。Ｓ３０７では、前記給電機能付き装置と前記受電機能付き装置の電源を安全に遮断するための終了処理をおこなっている。Ｓ３０８では、停電の状況、前記給電機能付き装置と前記受電機能付き装置の最終状態、終了処理内容を通知するために予め設定しておいた電子メールアドレスへ送信するための電子メールを主回路２で自動作成し、インターネット回路３及びインターネット・ケーブル９を通じて送信している。
【００２６】
Ｓ３０９では、メディア排出フラグがｏｆｆの場合にはＳ３１１に分岐し、メディア排出フラグがｏｎの場合にはＳ３１２に分岐しメディアを排出してからＳ３１１へ処理を進める。
【００２７】
Ｓ３１１では、前記受電機能付き装置に電源をオフにする命令を送っている。更に、Ｓ３１２では、前記給電機能付き装置と前記受電機能付き装置の電源を遮断している。
【００２８】
以上説明したように、停電などにより電力供給が停止するような異常事態が発生して自動的に終了処理がおこなわれた場合、その終了処理が終わった後にメディアを排出してから電源をオフにする操作が、ＬＡＮで接続されたパーソナルコンピュータからできる給電機能付きインターフェースをもつ電子装置を提供することが可能である。
【００２９】
（第４の実施例）
図７は第４の実施例を説明する図面であり、同図において１３は給電機能付き装置ｂであり、主たる信号処理をおこなっている主回路２と、給電機能を有するインターフェース回路３と、イーサネット（登録商標）などのＬＡＮ回線に接続するためのインターネット・ケーブル９に接続されるインターネット回路４と、停電時に電源をバックアップする機能を有する電源装置であるバックアップ電源装置５と、リモコン送信装置からの命令を受信するリモコン受信回路１４とにより構成している。バックアップ電源装置５は、商用電源から電源供給を受けるＡＣプラグ８に接続される電源回路５−１と、停電などにより商用電源から電力供給されなくなったこと検知するための停電検出回路５−２と、停電などにより商用電源から電力供給が受けられなくなった時に装置の終了処理をおこなうのに必要な電力を蓄えるための二次電池５−３とにより構成される。７はＭＯディスクや着脱可能なハードディスクドライブなどの着脱可能な記録媒体を駆動する受電機能付き装置であり、給電機能付きインターフェース６によりインターフェース回路３に接続されることで構成している。１５は自動終了処理がおこなわれた後に、前記着脱可能な記録媒体を排出してから電源を遮断する命令、及び、前記着脱可能な記録媒体を排出する場合に必要なパスワードを入力するためのリモコン送信装置である。
【００３０】
基本動作は実施例２と同様であるが、自動終了処理がおこなわれた後に、前記着脱可能な記録媒体を排出してから電源を遮断する命令、及び、前記着脱可能な記録媒体を排出する場合に必要なパスワードを入力手段がリモコン送信装置１５及びリモコン受信回路１４であることが特徴である。
【００３１】
以上説明したように、停電などにより電力供給が停止するような異常事態が発生して自動的に終了処理がおこなわれた場合、その終了処理が終わった後にメディアを排出してから電源をオフにするための操作が、リモコンにより簡単にできる給電機能付きインターフェースをもつ電子装置を提供することが可能である。
【００３２】
（第５の実施例）
図８は第５の実施例を説明する図面であり、同図において１７は給電機能付き装置ｄであり、主たる信号処理をおこなっている主回路２と、給電機能を有するインターフェース回路３と、イーサネット（登録商標）などのＬＡＮ回線に接続するためのインターネット・ケーブル９に接続されるインターネット回路４と、停電時に電源をバックアップする機能を有する電源装置であるバックアップ電源装置５と、自動終了処理がおこなわれた後に、前記着脱可能な記録媒体を排出してから電源を遮断する命令、及び、前記着脱可能な記録媒体を排出する場合に必要なパスワードを入力するためのメディア排出命令／パスワード入力回路１１と、電源が遮断された後に着脱可能な記録媒体を排出する場合に使用する強制電源オン入力回路１６とにより構成している。バックアップ電源装置５は、商用電源から電源供給を受けるＡＣプラグ８に接続される電源回路５−１と、停電などにより商用電源から電力供給されなくなったこと検知するための停電検出回路５−２と、停電などにより商用電源から電力供給が受けられなくなった時に装置の終了処理をおこなうのに必要な電力を蓄えるための二次電池５−３とにより構成される。７はＭＯディスクや着脱可能なハードディスクドライブなどの着脱可能な記録媒体を駆動する受電機能付き装置であり、給電機能付きインターフェース６によりインターフェース回路３に接続されることで構成している。
【００３３】
図９は図８の動作を説明するフローチャートである。
【００３４】
次に、図８に示す給電機能付き装置と、着脱可能な記録媒体を駆動する受電機能付き装置が、給電機能を有するインターフェースにより接続される電子装置の動作を、図９のフローチャートを用いて説明する。図中Ｓ４０２では、停電検出回路５−２により給電状態を常に監視し、ＡＣ電源供給が正常であればＳ４０２へ、停電などにより電力供給されなくなった状態が検知されるとＳ４０３へ分岐をおこなっている。Ｓ４０３では、停電が発生したことを通知するために予め設定しておいた電子メールアドレスへ送信するための電子メールを主回路２で自動作成し、インターネット回路３及びインターネット・ケーブル９を通じて送信している。Ｓ４０４では、メディア排出命令／パスワード入力回路１１によりメディア排出命令入力がありメディア排出命令を設定するのに必要なパスワード入力がおこなわれている場合にはＳ４０６に分岐し、Ｓ４０６でメディア排出フラグをｏｎにしてからＳ４０７に処理を進める。その他の場合はＳ４０５に分岐し、Ｓ４０５でメディア排出フラグをｏｆｆにしてからＳ４０７に処理を進める。Ｓ４０７では、前記給電機能付き装置と前記受電機能付き装置の電源を安全に遮断するための終了処理をおこなっている。Ｓ４０８では、停電の状況、前記給電機能付き装置と前記受電機能付き装置の最終状態、終了処理内容を通知するために予め設定しておいた電子メールアドレスへ送信するための電子メールを主回路２で自動作成し、インターネット回路３及びインターネット・ケーブル９を通じて送信している。
【００３５】
Ｓ４０９では、メディア排出フラグがｏｆｆの場合にはＳ４１１に分岐し、メディア排出フラグがｏｎの場合にはＳ４１０に分岐しメディアを排出してからＳ４１１へ処理を進める。
【００３６】
Ｓ４１１では、前記受電機能付き装置に電源をオフにする命令を送っている。更に、Ｓ４１２では、前記給電機能付き装置と前記受電機能付き装置の電源を遮断している。Ｓ４１３では、強制電源オン入力回路によりオンされていなければＳ４１３に分岐し、オンされていればＳ４１４に分岐する。Ｓ４１４ではメディア排出命令／パスワード入力回路１１によりメディア排出命令があって正しいパスワードが入力された場合にはＳ４１５に分岐し、その他の場合にはＳ４１２に分岐する。Ｓ４１５では着脱可能な記憶媒体を排出し、Ｓ４１６で電源を遮断する。
【００３７】
以上説明したように、停電などにより電力供給が停止するような異常事態が発生して自動的に終了処理がおこなわれて電源が遮断された後でも、バックアップ電源装置により強制的に電源をオンすることができ、メディア排出命令とメディアを排出するためのパスワードを入力することで、いつでもメディアを排出することが可能な給電機能付きインターフェースをもつ電子装置を提供することができる。
【図面の簡単な説明】
【００３８】
【図１】本発明の第１の実施例に係る給電機能付きインターフェースをもつ電子装置を説明する図面である。
【図２】本発明の第１の実施例を説明するフローチャートである。
【図３】本発明の第２の実施例に係る給電機能付きインターフェースをもつ電子装置を説明する図面である。
【図４】本発明の第２の実施例を説明するフローチャートである。
【図５】本発明の第３の実施例に係る給電機能付きインターフェースをもつ電子装置を説明する図面である。
【図６】本発明の第３の実施例を説明するフローチャートである。
【図７】本発明の第４の実施例に係る給電機能付きインターフェースをもつ電子装置を説明する図面である。
【図８】本発明の第５の実施例に係る給電機能付きインターフェースをもつ電子装置を説明する図面である。
【図９】本発明の第５の実施例を説明するフローチャートである。
【符号の説明】
【００３９】
１  給電機能付き装置ａ
２  主回路
３  インターフェース回路
４  インターネット回路
５  バックアップ電源装置
５−１  電源回路
５−２  停電検知回路
５−３  二次電池
６  給電機能付きインターフェース
７  着脱可能な記録媒体を駆動する受電機能付き装置（リムーバブル・メディア・ドライブ）
８  ＡＣプラグ
９  インターネット・ケーブル
１０  給電機能付き装置ｂ
１１  メディア排出命令／パスワード入力回路
１２  パーソナルコンピュータ
１３  給電機能付き装置ｃ
１４  リモコン受信回路
１５  リモコン送信装置
１６  強制電源オン入力回路
１７  給電機能付き装置ｄ
【図１】
2006134142.tif 000003
【図２】
2006134142.tif 000004
【図３】
2006134142.tif 000005
【図４】
2006134142.tif 000006
【図５】
2006134142.tif 000007
【図６】
2006134142.tif 000008
【図７】
2006134142.tif 000009
【図８】
2006134142.tif 000010
【図９】
2006134142.tif 000011